(57)【特許請求の範囲】
【請求項１】
回転軸受け７と、
前記回転軸受け７に取り付けた回転軸６と、
前記回転軸６に対し直角方向に、その一端を相対し取り付けた、密閉され中を空洞とし、体積を固定した体積固定容器１と、
その一端を、前記体積固定容器１の他端に取り付けた、同じく密閉され、中を空洞としているが、重力の作用により体積を自由に変えられる体積変動容器２と、
前記体積変動容器２の他端に取り付けた、前記体積変動容器２の重力による体積変動を生じさせるための底板錘３と、
前記底板錘３に取り付けた体積維持用回転サポート輪８と、
前記体積変動容器２の、回転軸に対する垂線方向のみの伸縮をガイドする、変動容器ガイド４と、
３時の位置から０時の位置間において、前記体積変動容器２の体積を６時から３時の間における状態を前記回転サポート輪８にて維持させるガイド９と、
９時の位置から６時の位置間において、前記体積変動容器２の体積を０時から９時の間における状態を前記回転サポート輪８にて維持させるガイド１０と、
前記体積固定容器１と前記体積変動容器２内の気体等の自由な流出入をサポートする接続管５とを備え、回転軸６に取り付けられ相対する前記体積固定容器１同士は、自由に気体等の流出入ができる装置。
【発明の詳細な説明】
【技術分野】
【０００１】  本発明は、安全で安価な安定したエネルギーの供給を目的とした、自然エネルギー発生装置の開発に関するものである。
【背景技術】
【０００２】  従来、自然エネルギーを利用したエネルギー発生装置には、潮の干満を利用した潮力発電、火山大国である日本の地熱を利用した地熱発電、風の持つエネルギーを利用した風力発電、太陽のエネルギーを利用した太陽光発電等が挙げられる。【０００３】  これらのエネルギー発生装置は、石油や天然ガス等における非自給資源問題及び枯渇資源問題並びに福島第一原子力発電所の事故に代表される放射能汚染問題等の危惧はなく、エネルギー資源自給率数％である日本にとって、他国からの影響を受けにくい安全で安価なエネルギーとなっている。
また、今後、全世界で危惧される水戦争、食料戦争においても、食料自給率の低い日本にとっては、益益エネルギーの需要が高まり、安定したエネルギーの供給が必要となってくる。【０００４】  しかしながら、従来の自然エネルギー発生装置では、新たな環境破壊、広大な土地、地理的位置、天候及び時間に影響され、火力発電や原子力発電のような安定したエネルギーの供給を維持することは難しく、工業立国及び食料自給率を高めようとする日本にとって、状況の如何に拘らず、自然エネルギーによる安定したエネルギー発生装置＝供給システムの開発が喫緊の課題となっている。
【先行技術文献】
【特許文献】
【０００５】
【特許文献１】  特表２００１−５１６４２４
【特許文献２】  特開２００２−３２７８４９
【特許文献３】  特開２００９−１６２３５６
【特許文献４】  特願２０１１−２７３８６１
【特許文献５】  特願２０１４−５０７７６
【発明の概要】
【発明が解決しようとする課題】
【０００６】  本発明は、このような従来の自然エネルギー発生装置が有している、諸課題を解決しようとするものである。
【課題を解決するための手段】
【０００７】  この課題を解決するためには、地球上のあらゆる場所で、あらゆる時間において天候に関係なく、また、新たな環境破壊のない自然エネルギーを安定供給させることが重要となる。
本発明は、従来の自然エネルギー発生装置が有している課題を解決するための手段として、浮力によるモーメント力及び重力によるモーメント力の不釣合いを利用し、そのエネルギーを運動エネルギーへ変換させようとするものである。【０００８】  図１は、密閉され、中を空洞にし、体積を固定した体積固定容器１に、同じく密閉されてはいるが、同じく中を空洞とし、底板錘３の重さにより、体積を自由に変えられる体積変動容器２を、体積固定容器１の一端に接続した図である。
体積固定容器１及び体積変動容器２の中は空気等で満たしてある。体積固定容器１の体積は一定であるものの、体積変動容器２は容器そのものを蛇腹膜等で作ることにより、体積を自由に変化させることが出来る様になる。
ただし、接続管５により、体積固定容器１と体積変動容器２内の気体は自由に出入りできる。【０００９】  図２は体積変動容器２の体積固定容器１とは反対側に底板錘３を取り付けた図であり、この底板錘３に働く重力エネルギーのみにて、体積変動容器２の体積を変化させようとするものである。
このように接合した場合、底板錘３は重力の作用により下方へ引っ張られるため、体積固定容器１との天地の関係により、体積変動容器２の体積が最小から最大または、最大から最小へと変化する。
つまり、体積固定容器１が上になった場合、体積変動容器２の体積は最大になり、体積固定容器１が下になった場合は、体積変動容器２の体積は最小となる。【００１０】  図３は回転できる中心軸６に、体積固定容器１の体積変動容器２を接続していない一端を、回転できる中心軸６に配置し取り付けた全体図である。【００１１】体積固定容器１と体積変動容器２は中空である接続管５で繋がっている。中心軸６の中心に相対する体積固定容器１と体積固定容器１内は、気体の出入りが自由に出来る構造とする。
このことにより、体積変動容器２内の空気等は体積固定容器１を介し、相対する体積変動容器２へ流入する。
従って、体積変動容器２の体積が変動しても、体積変動容器２、体積固定容器１及び相対する体積固定容器１、体積変動容器２内の体積は変わらない。【００１２】体積固定容器１、体積変動容器２及び底板錘３等が次の条件を満たした場合、本装置は浮力の差による浮力モーメント力及び各装置の重力によるモーメント力の不釣合いにより、運動エネルギーを発生させることができる。
体積固定容器１  長さ＝Ｌ
体積変動容器２  最大体積＝Ｖ１    最長長さ＝Ｌ１    重量＝Ｍ１
最小体積＝Ｖ２    最小長さ＝Ｌ２    重量＝Ｍ１
底板錘３の重量＝Ｍ２
回転サポート輪８  体積＝Ｖ４    重量＝Ｍ４
体積固定容器１と体積変動容器２の間隔＝Ｌ３
液体の密度＝Ａ
とした場合
Ｖ１×（Ｌ＋Ｌ３＋Ｌ１／２）−Ｖ２×（Ｌ＋Ｌ３＋Ｌ２／２）＋Ｖ４×（Ｌ１−Ｌ２）＋（Ｍ１／２＋Ｍ２＋Ｍ４）×（Ｌ２−Ｌ１）＞０
Ｍ２＋Ｍ４＞Ａ×（Ｖ１＋Ｖ４）【００１３】  図４は体積変動容器２の体積を維持し、浮力モーメント力の不釣合いを生じさせるための回転サポート輪８及びガイド９、１０の関係図である。
底板錘３の位置により、体積変動容器２の体積は最大から最小、最小から最大となる。
３時―９時ラインより上の位置において、体積変動容器２の体積は底板錘３の影響により最小となる。３時―９時ラインより下の位置にでは、体積変動容器２の体積は同じく底板錘３の影響により最大となる。
本発明を稼働させるためには、６時―３時―１２時間では、体積変動容器２の浮力を最大に、１２時―９時―６時間は、体積変動容器２の浮力を最小にする必要がある。
このことは、３時−１２時間、９時―６時間における底板錘３のみの影響下と異なる状態を作りだすこととなる。
この異なる状態を作り出すための装置として、回転サポート輪８及び回転サポート輪８を受けるためのガイド９、１０が必要となる。
これらを設置することにより、体積変動容器２における体積を３時−１２時の位置及び９時―６時の位置まで重力の影響に関係なく、体積の最大及び体積の最小を維持し続けることになる。
これらの体積維持により、浮力におけるモーメント力の不釣合いを生じさせ、そのモーメント力が各装置の重さによるモーメント力を上回った時点で、本装置は水等の中を回り続けることになる。
【発明の効果】
【００１４】  本発明は、浮力の差におけるモーメント力及び重力によるモーメント力の不釣合いを利用し、運動エネルギーへと変換しようとするものである。
貯水池等を建造できれば、地理的位置や天候、時間等に影響を受けることなく、安全で安価なエネルギーを、昼夜問わず安定供給し続けることができる。
また、本発明は高度な技術は必要なく、装置のメンテナンス及び自然蒸発等による水等の補給のみを行えば稼働でき、通常のエネルギー源及び汚水、海水を真水にするためのエネルギー源、作物に対するエネルギー源として、我が国や貧しい国々にも役立つものと思われる。
【図面の簡単な説明】
【００１５】
【図１】体積固定容器１及び体積変動容器２を接続管５で接続した図である。
【図２】底板錘３による体積変動容器２の体積の変化を示した図である。
【図３】本装置の全体図である。体積変動容器２及び体積固定容器１を接続管５で繋ぎ、それを相対する位置に結合させた図であり、図の場合、本装置は反時計回りに回ることになる。
【図４】体積変動容器２の体積を、特定の位置まで維持するための回転サポート輪８及びガイド９、１０の関係図である。
【発明を実施するための形態】
【００１６】  以下、本発明の実施の形態について説明する。
図１、２は、主に水中等において、異なる浮力を得るための形態であり、体積固定容器１と蛇腹膜等で出来た体積変動容器２を接続管５で接続し、体積変動容器２の底部分には体積変動容器２の体積を変動させるための底板錘３を取り付けたものである。
図１、２の装置の天地の状態により、底板錘３は重力との関係で常に下方へ引っ張られる。
そのことにより、体積変動容器２はその体積を最大から最小へ、最小から最大へと変化させ、体積の異なる状態を作りだす。
これらのことにより、中心軸に対する浮力モーメント力は異なる状態を生じさせる。
また、中心軸に対する重力モーメント力も異なる状態となる。
各異なったモーメント力を組み合わせ、モーメント力の不釣合いを生じさせることにより、その不釣合いモーメント力を運動エネルギーへと変換させようとするものである。
また、体積固定容器１及び体積変動容器２は、各室内への水等の浸入がないように密閉されたものでなければならない。
なお、体積変動容器２の体積が変動する際、全体の体積は接続管５により、一定に保たれる。
【００１７】  図３は本装置の全体図である。
本装置が稼働した場合、図では反時計周りに回る。
【００１８】  通常、体積変動容器２は、図３におけるＡ部分の位置から上方へ行く場合、その体積は最大から最小へと、図３におけるＢ部分から下方へ行く場合は最小から最大へと徐々に変動する。
図４はそれを阻止するための装置であり、回転サポート輪８とそのガイド９及び１０の関係図である。
回転サポート輪８及びガイド９、１０を設置することにより、体積変動容器２は１２時の位置まで及び６時の位置まで体積最大及び体積最小の状態を維持することが出来る。
【符号の説明】
【００１９】  １        体積固定容器
２        体積変動容器
３        底板錘
４        変動容器ガイド
５        接続管
６        回転軸
７        回転軸受け
８        回転サポート輪
９        ガイド
１０      ガイド
【図１】
0006197763.tif 000002
【図２】
0006197763.tif 000003
【図３】
0006197763.tif 000004
【図４】
0006197763.tif 000005